(57)【要約】      （修正有）【課題】産業廃棄物、鋼鉄スクラップや水分を多く含有する食品残渣の生ごみ等の廃棄物を混載させて収納しても漏洩せず、安全に廃棄投了出来るスクラップ用コンテナを提供する。【解決手段】左右の側板１０ａ、１０ｂ、底板を有する金属製板U字形本体１０の該底板後端に下端が枢支された通常扉と、該U字形本体１０の左側板１０ａ前端に蝶着された第１観音開き扉１６と、右側板１０ｂ前端に蝶着されたそれを補完する形状の第２観音開き扉２０とを第１、２、３閂１８ａ、１８ｂ、１８ｃ、第１、２、３レバーフック３０とにより、該第１観音開き扉１６の下部をロック・ボルト３２と締結具３６により固定し、該第２観音開き扉２０の背面に設けられた閉鎖板２４により該第１観音開き扉１６を部分的に覆うことでスクラップのこぼれを防止する。【選択図】図１
2009298545.tif 000002
【特許請求の範囲】
【請求項１】
所要厚み、長さ、幅、高さ及び奥行きを有する金属製板Ｕ字形本体と；
該Ｕ字形本体の左右側板後端下部に開閉自在に蝶着された通常の扉と；
該両Ｕ字形本体の両側板上部前端に夫々形成された所要高さ、幅及び奥行きを有する一対の凹部と；
該一対の凹部に夫々設けられた枢支片と；
該一方の上端凹部が該枢支片と、下端近くが該側板の下端近くに夫々蝶着された第１観音開き扉と、他方の上端凹部が該枢支片と、下端近くが該他方の側板の下端近くに夫々蝶着された第２観音開き扉と；
該第１、２観音開き扉の各上縁で水平全長の略１／３の箇所まで水平に延長し、該第１観音開き扉の上縁左端から水平延長方向該略１／３の箇所まで延長し、該延長端から垂直に該略１／３の長さまで延長する第１垂直延長端と、該第１垂直延長端から底板で他方の該側板から略１／３の箇所まで斜め下方に延長し、該斜め下方延長端から該底板に垂直に延長する縦方向補強リブとを有し、下部を該一方の側板に蝶着された該第１観音開き扉と；
該第１観音開き扉を補完する形状で、該第１観音開き扉の該第１垂直延長端に対応する第１垂直延長端と、該斜め下方延長端に対応する斜め下方延長端と、該縦方向補強リブに対応する垂直延長端とを有し、該Ｕ字形本体の他方の該枢支片に上端が蝶着され、下部を該他方の側板に蝶着された該第２観音開き扉と；
該第１観音開き扉の上縁近くに設けられて、該左側板の突起部の嵌合孔に嵌合自在とする第１閂と；
該第１観音開き扉の上縁右側近くに設けられて、該第２観音開き扉の嵌合孔に嵌合自在とする第２閂と；
該第２観音開き扉の上縁近くに設けられて、該右側板の上端に設けられた突起部の嵌合孔に嵌合自在とする第３閂と；
該第１観音開き扉で該第２観音開き扉と接触する面に一体に設けられた硬質ライナーと；
該底板正面で該第１観音開き扉の該縦方向補強リブに対応する箇所に突設された所要直径を有するロック・ボルトと；
該第１観音開き扉の該縦方向補強リブで該ロック・ボルトの対応箇所に形成され、該ロック・ボルトを貫通させる貫通孔と；
該ロック・ボルトに螺合されるナットと；
該第１観音開き扉の該上縁と、該第２観音開き扉の該第１観音開き扉寄りと、該右側板寄りとに夫々形成された第１、２、３のレバーフック嵌合用開口部と；
該第１観音開き扉の該上縁の該第１レバーフック嵌合用開口部に嵌合されて該第１観音開き扉を該一方の側板に固定する第１レバーフックと、該第２観音開き扉の第２レバーフック嵌合用開口部にされて該第２観音開き扉を該第１観音開き扉に固定する第２レバーフックと、該第２観音開き扉の第３  レバーフック嵌合用開口部に嵌合されて該第３観音開き扉を該他方の側板に固定する第３レバーフックと；
該Ｕ字形本体の底板で該第１観音開き扉の該縦方向補強リブの先端内側に対応する箇所に水平に突設された所要直径と長さとを有するロック・ボルトと；
該第２観音開き扉の上端部近くに形成された開口部と；
該開口部内に設けられたフックと；
該Ｕ字形本体の底板でその両端近くで長手方向に平行に設けられた補強リブと；
該底板中心と該第１観音開き扉の下部に設けられた締結具と；
該第１観音開き扉と該第２観音開き扉の各上縁接合面に嵌合される逆Ｕ字形弾性ライナーと；
から成るスクラップ用コンテナ。
【請求項２】
所要厚み、長さ、幅、高さ及び奥行きを有する金属製板Ｕ字形本体と；
該Ｕ字形本体の側板後端下部に開閉自在に蝶着された通常の扉と；
該両Ｕ字形本体の両側板上部前端に夫々形成された所要高さ、幅及び奥行きを有する一対の凹部と；
該一対の凹部に夫々設けられた枢支片と；
該一方の上端凹部が該枢支片と、下端近くが該側板の下端近くに夫々蝶着された第１観音開き扉と、他方の上端凹部が該枢支片と、下端近くが該他方の側板の下端近くに夫々蝶着された第２観音開き扉と；
該第１観音開き扉と該第２観音開き扉の各上縁で全長の略１／３の箇所まで水平に延長し、該第１観音開き扉の上縁左端から水平延長方向該略１／３の箇所まで延長し、該延長端から垂直に該略１／３の長さまで延長する第１垂直延長端と、該第１垂直延長端から底板で他方の該側板から略１／３の箇所まで斜め下方に延長し、該斜め下方延長端から該底板に垂直に延長する縦方向補強リブとを有し、下部を該一方の側板に蝶着された該第１観音開き扉と；
該第１観音開き扉を補完する形状で、該第１観音開き扉の該第１垂直延長端に対応する第１垂直延長端と、該斜め下方延長端に対応する斜め下方延長端と、該縦方向補強リブに対応する垂直延長端とを有し、該Ｕ字形本体の他方の該枢支片に上端が蝶着され、下部を該他方の側板に蝶着された該第２観音開き扉と；
該第１観音開き扉で該第２観音開き扉と接触する面に一体に設けられた硬質ライナーと；
該底板正面で該第１観音開き扉の該縦方向補強リブに対応する箇所に突設された所要直径を有するロック・ボルトと；
該第１観音開き扉の該縦方向補強リブで該ロック・ボルトの対応箇所に形成され、該ロック・ボルトを貫通する貫通孔と；
該ロック・ボルトに螺合されるナットと；
該第２観音開き扉の裏側で該縦方向補強リブに沿って開閉自在に枢支され、該第１観音開き扉の下部を部分的に覆う所要面積と厚みを有する閉鎖板とから成る請求項１記載のスクラップ用コンテナ。
【発明の詳細な説明】
【技術分野】
【０００１】
この発明は、スクラップ用コンテナに関し、更に詳しくは、産業廃棄物、鋼鉄スクラップ、解体家屋廃材、残土からレストラン、家庭等から排出される食品残渣等の生ごみで水分を多く含有する廃棄物でも殆ど漏洩させず、効率的にトラック等に混載して所望箇所に移送し、廃棄投了する観音開き扉を有するスクラップ用コンテナの改良に関するものである。
【背景技術】
【０００２】
近年ゴミ処理は、都会から地方まで大問題となっており、特に産業廃棄物、鋼鉄スクラップ、解体家屋廃材、残土、家庭から排出される生ごみ等の廃棄物を収納してトラック等で運搬するスクラップ用コンテナにおいては、所望箇所に運搬後フックで持ち上げて廃棄投了いている。
【０００３】
従来提案されているスクラップ用コンテナとしては、
【特許文献１】特開平３−１１７２０３、
【特許文献２】実開昭６４−１４７０５、
【特許文献３】実公昭５１−３０１３６、
【特許文献４】特開平５−２６２４０４等があげられる。
【発明の開示】
【発明が解決しようとする課題】
【０００４】
しかしこの発明者が提案したスクラップ用コンテナ（特開平５−２６２４０４）においては、コンテナ内に特に鋼鉄スクラップ等の重量物を入れると観音開き扉が不用意に開いて半開き状態となって危険であり、他方の扉と衝突して破損することが避けられない。
【０００５】
更にスクラップ用コンテナの半開き状態となった観音開き扉は、廃棄物を収納した該スクラップ用コンテナをトラックに搭載し、所望箇所に運搬後投棄する際、作業員にとって極めて危険である。
【０００６】
加えてスクラップ用コンテナの観音開き扉は、重量物を入れると変形したり、又はずれたりするので、その観音開き扉の厚みを薄く出来ない。
【０００７】
そして公知のスクラップ用コンテナの観音開き扉の間にレストラン、家庭等から排出される水分を多く含有する食品残渣の生ごみや紙等の廃棄物が容易に嵌合するので、これら扉が完全に閉まらず、水分を多く含有する食品残渣等が観音開き扉の間隙から外部に漏洩して衛生上問題を生じる。
【０００８】
これまで廃棄される各種のスクラップを収納してトラック等で所要箇所に運搬して投了するスクラップ用コンテナが提案されているが、産業廃棄物、鋼鉄スクラップ、解体家屋廃材の固形物、残土やレストラン、家庭等から排出される食品残渣の生ごみで多くの水分を含有する廃棄物まで混載して運搬し、安全に投了するスクラップ用コンテナは提案されていない。
【０００９】
所要に応じ、公知のスクラップ用コンテナの第１観音開き扉を開いたままでスクラップの収納作業中、該スクラップ用コンテナから廃棄スクラップが不用意に落下する。
【課題を解決するための手段】
【００１０】
この発明は、前述の課題を解決するものであり、その第１要旨は、所要厚み、長さ、幅、高さ及び奥行きを有する金属製板Ｕ字形本体と、該Ｕ字形本体の左右側板後端下部に開閉自在に蝶着された通常の扉と、該両Ｕ字形本体の両側板上部前端に夫々形成された所要高さ、幅及び奥行きを有する一対の凹部と、該一対の凹部に夫々設けられた枢支片と、該一方の上端凹部が該枢支片と、下端近くが該側板の下端近くに夫々蝶着された第１観音開き扉と、他方の上端凹部が該枢支片と、下端近くが該他方の側板の下端近くに夫々蝶着された第２観音開き扉と、該第１、２観音開き扉の各上縁で水平全長の略１／３の箇所まで水平に延長し、該第１観音開き扉の上縁左端から水平延長方向該略１／３の箇所まで延長し、該延長端から垂直に該略１／３の長さまで延長する第１垂直延長端と、該第１垂直延長端から底板で他方の該側板から略１／３の箇所まで斜め下方に延長し、該斜め下方延長端から該底板に垂直に延長する縦方向補強リブとを有し、下部を該一方の側板に蝶着された該第１観音開き扉と、該第１観音開き扉を補完する形状で、該第１観音開き扉の該第１垂直延長端に対応する第１垂直延長端と、該斜め下方延長端に対応する斜め下方延長端と、該縦方向補強リブに対応する垂直延長端とを有し、該Ｕ字形本体の他方の該枢支片に上端が蝶着され、下部を該他方の側板に蝶着された該第２観音開き扉と、該第１観音開き扉の上縁近くに設けられて、該左側板の突起部の嵌合孔に嵌合自在とする第１閂と、該第１観音開き扉の上縁右側近くに設けられて、該第２観音開き扉の嵌合孔に嵌合自在とする第２閂と、該第２観音開き扉の上縁近くに設けられて、該右側板の上端に設けられた突起部の嵌合孔に嵌合自在とする第３閂と、該第１観音開き扉で該第２観音開き扉と接触する面に一体に設けられた硬質ライナーと、該底板正面で該第１観音開き扉の該縦方向補強リブに対応する箇所に突設された所要直径を有するロック・ボルトと、該第１観音開き扉の該縦方向補強リブで該ロック・ボルトの対応箇所に形成され、該ロック・ボルトを貫通させる貫通孔と、該ロック・ボルトに螺合されるナットと、該第１観音開き扉の該上縁と、該第２観音開き扉の該第１観音開き扉寄りと、該右側板寄りとに夫々形成された第１、２、３のレバーフック嵌合用開口部と、該第１観音開き扉の該上縁の該第１レバーフック嵌合用開口部に嵌合されて該第１観音開き扉を該一方の側板に固定する第１レバーフックと、該第２観音開き扉の第２レバーフック嵌合用開口部にされて該第２観音開き扉を該第１観音開き扉に固定する第２レバーフックと、該第２観音開き扉の第３レバーフック嵌合用開口部に嵌合されて該第３観音開き扉を該他方の側板に固定する第３レバーフックと、該Ｕ字形本体の底板で該第１観音開き扉の該縦方向補強リブの先端内側に対応する箇所に水平に突設された所要直径と長さとを有するロック・ボルトと、該第２観音開き扉の上端部近くに形成された開口部と、該開口部内に設けられたフックと、該Ｕ字形本体の底板でその両端近くで長手方向に平行に設けられた補強リブと、該底板中心と該第１観音開き扉の下部に設けられた締結具と、該第１観音開き扉と該第２観音開き扉の各上縁接合面に嵌合される逆Ｕ字形弾性ライナーとから成るスクラップ用コンテナ成るスクラップ用コンテナである。
【００１１】
この発明の第２要旨は、所要厚み、長さ、幅、高さ及び奥行きを有する金属製板Ｕ字形本体と、該Ｕ字形本体の側板後端下部に開閉自在に蝶着された通常の扉と、該両Ｕ字形本体の両側板上部前端に夫々形成された所要高さ、幅及び奥行きを有する一対の凹部と、該一対の凹部に夫々設けられた枢支片と、該一方の側板の該枢支片に蝶着された第１観音開き扉と、他方の該側板の該枢支片に蝶着された第２観音開き扉と、該第１観音開き扉と該第２観音開き扉の各上縁で全長の略１／３の箇所まで水平に延長し、該第１観音開き扉の上縁左端から水平延長方向該略１／３の箇所まで延長し、該延長端から垂直に該略１／３の長さまで延長する第１垂直延長端と、該第１垂直延長端から底板で他方の該側板から略１／３の箇所まで斜め下方に延長し、該斜め下方延長端から該底板に垂直に延長する縦方向補強リブとを有し、下部を該一方の側板に蝶着された該第１観音開き扉と、該第１観音開き扉を補完する形状で、該第１観音開き扉の該第１垂直延長端に対応する第１垂直延長端と、該斜め下方延長端に対応する斜め下方延長端と、該縦方向補強リブに対応する垂直延長端とを有し、該Ｕ字形本体の他方の該枢支片に上端が蝶着され、下部を該他方の側板に蝶着された該第２観音開き扉と、該第１観音開き扉で該第２観音開き扉と接触する面に一体に設けられた硬質ライナーと、該底板正面で該第１観音開き扉の該縦方向補強リブに対応する箇所に突設された所要直径を有するボルトと、該第１観音開き扉の該縦方向補強リブで該ボルトの対応箇所に形成され、該ボルトを貫通する貫通孔と、該第２観音開き扉の裏側で該第２縦方向補強リブに沿って開閉自在に枢支され、該第１観音開き扉の下部を部分的に覆う所要面積と厚みを有する閉鎖板とから成るスクラップ用コンテナである。
【発明の効果】
【００１２】
（１）この発明に係るスクラップ用コンテナによれば、金属製板Ｕ字形本体の上端に突出自在に設けられた第１閂を有する第１観音開き扉と、上端に突出自在に設けられた第２閂を有する第２観音開き扉とを有し、水平全長の略１／３の箇所まで水平に延長し、該延長端から垂直に該略１／３の長さまで延長する第１垂直延長端と、該第１垂直延長端から底板で他方の該側板から略１／３の箇所までの水平延長端と、該水平延長端から略１／３の箇所まで垂直延長端とし、該斜め下方延長端から該底板に垂直に延長する縦方向補強リブとを有し、下部を該一方の側板に蝶着された該第１観音開き扉と、該第１観音開き扉を補完する形状で、該第１観音開き扉の該第１垂直延長端に対応する第１垂直延長端と、該斜め下方延長端に対応する斜め下方延長端と、該Ｕ字形本体の他方の該枢支片に上端が蝶着され、下部を該他方の側板に蝶着された該第２観音開き扉としたので、垂直な接合面を有するので、公知の両観音開き扉に比較して開閉する際の力が分散され、所要の産業廃棄物、鋼鉄スクラップ、解体家屋廃材、残土、家庭から排出される生ごみ等の廃棄物を混載して効率的にトラック等で所望箇所に移送し、安全に廃棄投了可能となる。
【００１３】
（２）従ってこの発明によれば、廃棄物を混載したスクラップ用コンテナを作業員一人でもトラック等への搭載、引き下ろし、内容物の投棄作業等を容易且つ安全に実施可能となる。
【００１４】
（３）そして該第１観音開き扉で該第２観音開き扉と接触する面に柔軟性を有するライナーを設けたの  で、家庭から排出される多くの水分を含有する食品残渣の生ごみや紙等の廃棄物や残土、生ごみ等が該第１、２観音開き扉の間に挟まり、又は食品残渣の生ごみ等がスクラップ用コンテナから漏洩することが無くなる。
【００１５】
（４）又この発明に係るスクラップ用コンテナによれば、鋼鉄スクラップ、解体家屋等の固定廃棄物、残土からレストラン、家庭等から排出される食品残渣の生ごみ等の水分を多く含有する廃棄物まで一緒に収納してトラック等所要箇所に運搬し、投棄できるので、夫々の廃棄物に対応するスクラップ用コンテナを別途用意する必要がなく、産業上極めて経済的となる。
【００１６】
（５）加えてスクラップ用コンテナにスクラップを収納する際、最初は第１と第２観音開き扉とを開いて該スクラップ用コンテナの奥の方（後部）から徐々に前の方（前部）へと収納し、該スクラップが落下しそうになると一方の例えば、該第２観音開き扉を閉め、該コンテナ内部を見ながら収納作業を実施しているが、該第２観音開き扉の第２縦方向補強リブ裏側に沿って開閉自在に枢着された閉鎖板を該第１観音開き扉方向に開いて該スクラップ用コンテナを部分的に閉鎖すれば、該スクラップ用コンテナから該スクラップが不用意に落下するのを防止する。
【００１７】
（６）そして該第１観音開き扉と該第２観音開き扉同士の各上部をレバーフックにより、該第１観音開き扉の該第２垂直延長端をボルトにより、そして該第２観音開き扉をＬ字形固定片により該Ｕ字形本体の後端に固定するので、該スクラップ用コンテナ内に鋼鉄スクラップの様な重量物を入れてもこれら扉が開かず、全く変形しないので長期使用しても充分な耐久性が得られる。
【００１８】
（７）所望に応じ、この発明に係るスクラップ用コンテナは、鋼鉄スクラップ等の所要箇所への移送が効果的に実施可能となる。
【発明を実施するための最良の形態】
【００１９】
この発明を実施するための最良の形態は、金属製板Ｕ字形本体の後端に下端が開閉自在に蝶着された通常の扉と、該Ｕ字形本体の前端一方に蝶着された第１観音開き扉と、前端他方に蝶着され、前者を補完する形状を有する第２観音開き扉とを有し、該第１、２観音開き扉の上縁近くの正面に設けられた閂と、上縁面に形成されたレバーフック嵌合用切込内に嵌合されるレバーフックと、該第１観音開き扉の側面で該第２観音開き扉と接触する側面に一体に設けられた硬質ライナーと、該第２観音開き扉の上縁近くの正面に形成された開口部内に設けられたフックと、該第２観音開き扉の縦方向補強リブに開閉自在に枢着され、該第１観音開き扉の下部を部分的に覆う所要面積と厚みを有する閉鎖板と、該Ｕ字形本体の底板前板に突設されたロック・ボルトと、該第１観音開き扉の対応する箇所に形成され、該ロック・ボルトを貫通する貫通孔と、該ロック・ボルトに螺合されるナットと、該底板前板に設けられた第２観音開き扉の上端部近くに形成された開口部と、該該Ｕ字形本体の底板でその両端近くで長手方向に平行に設けられた補強リブと、該補強リブの一端に夫々設けられたローラと、該底板中心と該第１観音開き扉の下部に設けられた該第１観音開き扉と該第２観音開き扉の各上縁接合面に嵌合される逆Ｕ字形弾性ライナーとから成るスクラップ用コンテナである。
【実施例】
【００２０】
図１〜５において、請求項１記載の発明に係るスクラップ用コンテナＣの実施例を説明する。所要の厚み、長さ、幅、高さ及び奥行きを有する金属製板Ｕ字形本体１０は、左右の側板１０ａ、１０ｂと、それらの下端を結ぶ底板１０ｃとから成り、該底板１０ｃの後端に通常の扉１２の下端を蝶着し、該左側板１０ａと該右側板１０ｂとに開閉自在とする。
【００２１】
該左側板１０ａの前端上部に形成した所要の凹部１０ａ’と、該右側板１０ｂの前端上部に形成した所要の凹部１０ｂ’内に枢支片１４ａと１４ｂとを夫々設ける。  
【００２２】
該枢支片１４ａに後述の第１観音開き扉１６の上端左側凹部１６ａ’を、該第１観音開き扉１６の下部を該一方の左側板１０ａの下部に蝶着し、該枢支片１４ｂに該第２観音開き扉２０の上端右側凹部２０ｂ’を、該第２観音開き扉２０の下部を該右側板１０ｂの下部に夫々蝶着する。
【００２３】
該第１観音開き扉１６は、該Ｕ字形本体１０の前端内に該第２観音開き扉２０と水平に収納した場合、該第１観音開き扉１６と該第２観音開き扉２０の両上縁１６ａ、２０ａで水平全長の略１／３の箇所まで水平に延長し、該第２観音開き扉２０方向に該第１観音開き扉１６と該第２観音開き扉２０とを合計した全長さの略１／３長さの箇所まで水平に延長する上縁１６ａとし、該上縁１６ａから下方に略１／３長さの第１垂直延長端１６ｂを形成する。
【００２４】
該第１観音開き扉１６の該第１垂直延長端１６ｂから該第２観音開き扉２０の下縁２０ｅで該第１観音開き扉１６方向に略１／３長さの箇所まで水平に延長し、該水平延長下縁２０ｅの略１／３長さの箇所から略１／３長さ（高さ）まで垂直に延長する第２垂直延長端２０ｄの上端方向に延長する斜め延長端２０ｃの下端に沿う斜め延長端１６ｃを形成し、該斜め延長端１６ｃの下端を該第１垂直延長端１６ｂの下端と連結する。
【００２５】
特に図１、３、５、該観音開き扉２０の該上縁２０ａで該第１観音開き扉１６の該第１垂直延長端１６ｂに対応する第１垂直延長端２０ｂを形成し、該第１垂直延長端２０ｂの下端から該第１観音開き扉１６の該斜め延長辺１６ｃに対応する斜め延長する斜め延長端２０ｃを形成し、該斜め延長端２０ｃの下端から該第２垂直延長端１６ｂに対応する第２垂直延長端２０ｂを形成する。
【００２６】
該第１観音開き扉１６で該第２観音開き扉２０と接触する面に、剛性ライナー２２を一体に設け、該第１、２観音開き扉１６、２０とを閉じた場合、両者の間隙を閉鎖するもので、所望に応じ金属製ライナーとする。
【００２７】
特に図２において該第１観音開き扉１６の該上縁１６ａで該左側板１０ａ寄りにレバーフック嵌合用切込１６ｆを形成し、該第２観音開き扉２０の該上縁２０ａで該第１観音開き扉１６寄りと該右側板１０ａ寄りとにレバーフック嵌合用切込２０ｆ、２０ｆ’を夫々形成する。
【００２８】
該第１観音開き扉１６の該左側板１０ａの該レバーフック嵌合用切込１６ｆ内に嵌合した第１レバーフック３０の一端を該枢支片１４ａと係合し、該第２観音開き扉２０の該レバーフック嵌合用切込２０ｅ内に嵌合した第２レバーフック３０の一端を該第１観音開き扉１６の該上縁１６ａと係合し、該レバーフック嵌合用切込２０ｆ’内に嵌合した第３レバーフック３０の一端を該枢支片１４ｂと係合して該第１観音開き扉１６と該第２観音開き扉２０とを該Ｕ字形本体１０の前端に固定する。
【００２９】
図３、５に示す様に、該第１観音開き扉１６の該第１垂直延長端１６ｂの上端左側に形成された突起部１６ｈの貫通孔（図示せず）に第１閂１８ａを嵌合自在に設け、該第１観音開き扉１６の該上縁１６ａの右寄りに第２閂１８ｂを該第２観音開き扉２０の嵌合孔（図示せず）に嵌合自在とし、該右側板１０ｂに形成された突起部１６ｈの貫通孔２０ｉに第３閂１８ｃを嵌合自在とする。尚矢印→、←は、閂の移動方向を表す。
【００３０】
図９において、該Ｕ字形本体１０の底板１０ｃの正面で該第１観音開き扉１６の該第２垂直延長端
１６ｄの隅に対応する箇所にロック・ボルト３２を突設し、該第１観音開き扉１６の対応箇所にロック・ボ
ルト３２の貫通孔１６ｇを穿設し、該底板１０ｃに該第１観音開き扉１６を閉じた場合、該貫通孔１６ｇに該ロック・ボルト３２を貫通し、該ロック・ボルト３２の露出端に該ナット３４を螺合して該第１観音開き扉１６を該底板１０ｃに固定する。
【００３１】
図１２において、該第２観音開き扉２０の正面上部で該第１観音開き扉１６寄りに開口部２０ｇを形成し、該開口部２０ｇ内にフック２６を設け、図１３、１４に示す様に、該スクラップ用コンテナＣを所要のトラック等に載せたり、降ろしたり、スクラップを投了する際、バックホーのホー等（図示せず）を引っ掛ける為に使用する。
【００３２】
図１〜６、７〜１０において、該金属製板Ｕ字形本体１０の該底板１０ｃの正面で該ロック・ボルト３２の左側で該底板１０ｃの下面にＬ字形固定片３８の内端３８ｂを枢支軸１０ｅを介して部分的に矢印方向に枢支し、該Ｌ字形固定片３８の垂直端３８ａに穿設した螺合孔３８ａ内にボルト４０を螺合し、該ボルト４０を螺合して該ボルト４０の先端を該第１観音開き扉１６に圧接して該底板１０ｃの正面に固定可能となる。
【００３３】
図１２において、該第１観音開き扉１６と該第２観音開き扉２０とを閉じた場合、該第１垂直延長端１６ｂと該第１垂直延長端２０ｂを該剛性ライナー２２を設けられない上部間隙に該逆Ｕ字形ライナー２２ａを上から嵌合して該スクラップ用コンテナＣからのスクラップの漏洩を防止する。
【００３４】
請求項２記載の発明は、該第２観音開き扉２０の裏側で該縦方向補強リブ２０ｃに沿って所要面積と厚みを有する閉鎖板２４を枢支し、該閉鎖板２４が枢支軸２４ａを中心として１８０度開閉自在とし、該第１観音開き扉１６の下部を部分的に覆う様にした実施例である。
【００３５】
従って、該スクラップ用コンテナＣの第１観音開き扉１６と該第２観音開き扉２０とを開いて該スクラップ用コンテナＣの奥の方から順次前方に所要スクラップを収納していくが、徐々に該スクラップが前方に積込む様になると、該第２観音開き扉２０を閉め、該第２観音開き扉２０の該閉鎖板２４を１８０度開いて第１観音開き扉１６の下部と該底板１０ｃとを部分的に覆うので、該コンテナＣの内部を見ながら積込作業を継続でき、該コンテナＣから該スクラップが落下しない。
【００３６】
図１３に通り、該スクラップ用コンテナＣをトラックに搭載している状態を模式的に示す略図を示すものである。
【００３７】
図１４は、図１３の該トラックス上の該スクラップ用コンテナＣから廃棄物を投棄している状態を示す略図である。
【図面の簡単な説明】
【００３８】
【図１】この発明に係るスクラップ用コンテナの実施例の一部透視正面略図；
【図２】図１に示すスクラップ用コンテナの斜視図；
【図３】図２に示すスクラップ用コンテナの拡大斜視図；
【図４】図３に示すスクラップ用コンテナの第１観音開き扉を部分的に開いた状態を示す部分斜視略図；
【図５】図３に示すスクラップ用コンテナの第２観音開き扉を部分的に開いた状態を示す部分斜視略図；
【図６】図１に示すスクラップ用コンテナを下部から見た一部切欠部分斜視略図；
【図７】第１観音開き扉と第２観音開き扉とをＵ字形本体から取外して状態を示す部分正面図；
【図８】第１観音開き扉で第２観音開き扉と接触する面に一体に取付けられる剛性ライナーの正面図；
【図９】図３に示すスクラップ用コンテナのＵ字形本体の底板正面に設けられた第１観音開き扉に嵌合されるロック・ボルトとナットとを示す部分拡大略図；
【図１０】図７〜１０に示すＵ字形本体の底板正面に取付けられた締結具の部分拡大略図；
【図１１】第２観音開き扉の上部近くに形成された開口部に設けられたフックの部分拡大略図；
【図１２】第１観音開き扉と第２観音開き扉との接触面の凹部に嵌合される逆Ｕ字形ライナーの拡大斜視図；
【図１３】スクラップ用コンテナをトラックに搭載している状態を模式的に示す略図；
【図１４】図１３のトラックス上のスクラップ用コンテナから廃棄物を投棄している状態を示す略図。
【符号の説明】
【００３９】
Ｃ        スクラップ用コンテナ；
１０      金属製板Ｕ字形本体；
１０ａ，１０ｂ      側板；  
１０ａ’，１０ｂ’    凹部；
１０ｃ    底板；
１０ｄ    Ｕ字形突起；
１０ｅ    枢支軸；
１２        後扉；
１４ａ，１４ｂ      枢支片；
１６      第１観音開き扉；
１６ａ      上縁；
１６ａ’    上端左側凹部；
１６ｂ      第１垂直延長端；
１６ｃ        斜め延長片；
１６ｄ      第２垂直延長端；
１６ｅ      下縁；
１６ｆ      レバーフック嵌合用切込；
１６ｇ      ロック・ボルト貫通孔；
１８ａ      第１閂；
１８ｂ      第２閂；
１８ｃ      第３閂；
２０      第２観音開き扉；
２０ａ    上縁；
２０ａ’    上端右側凹部；
２０ｂ      第１垂直延長端；
２０ｃ        斜め延長端；
２０ｄ        第２垂直延長端；  
２０ｅ      下縁；
２０ｆ、２０ｆ’      レバーフック嵌合用切込；  
２０ｇ      開口部；
２０ｈ        突起部；
２０ｉ        貫通孔；
２２      剛性ライナー；  
２２ａ      逆Ｕ字形ライナー；
２４      閉鎖板；
２４ａ    枢支軸；
２６      フック；
３０      レバーフック；
３２      ロック・ボルト；
３４      ナット；
３６      締結具；
３８      Ｌ字形固定片；
３８ａ    Ｌ字形片；
３８ａ’  螺合孔。
４０      ボルト。
【図１】
2009298545.tif 000003
【図２】
2009298545.tif 000004
【図３】
2009298545.tif 000005
【図４】
2009298545.tif 000006
【図５】
2009298545.tif 000007
【図６】
2009298545.tif 000008
【図７】
2009298545.tif 000009
【図８】
2009298545.tif 000010
【図９】
2009298545.tif 000011
【図１０】
2009298545.tif 000012
【図１１】
2009298545.tif 000013
【図１２】
2009298545.tif 000014
【図１３】
2009298545.tif 000015
【図１４】
2009298545.tif 000016